(57)【特許請求の範囲】
【請求項１】
予め設定された管理サーバに対して所定のデータを送信する建設機械の通信制御装置において、
送信テスト用のテストデータの送信時に、前記管理サーバ以外の携帯端末に対してテストデータを送信させる制御を行う制御部と、
前記テストデータの送信前に、前記テストデータの設定と送信先の携帯端末の設定とを行う画面を表示する表示部とを有することを特徴とする建設機械の通信制御装置。
【請求項２】
１又は複数のテストデータと、１又は複数の送信先の情報とを記憶する記憶部を有することを特徴とする請求項１に記載の建設機械の通信制御装置。
【請求項３】
前記制御部は、
前記テストデータの送信を電子メールで行うことを特徴とする請求項１又は２に記載の建設機械の通信制御装置。
【請求項４】
予め設定された管理サーバに対して所定のデータを送信する建設機械の通信制御方法において、
送信テスト用のテストデータの設定と、前記管理サーバ以外の携帯端末の送信先の設定とを行い、設定された送信先に対して設定されたテストデータを送信することを特徴とする建設機械の通信制御方法。
【請求項５】
１又は複数のテストデータと、１又は複数の送信先の情報とを記憶部に記憶させることを特徴とする請求項４に記載の建設機械の通信制御方法。
【請求項６】
前記テストデータの送信を電子メールで行うことを特徴とする請求項４又は５に記載の建設機械の通信制御方法。
【発明の詳細な説明】
【技術分野】
【０００１】
本発明は、建設機械の通信制御装置及び通信制御方法に係り、特に迅速かつ効率的に送信確認を行うための建設機械の通信制御装置及び通信制御方法に関する。
【背景技術】
【０００２】
従来では、建設機械を稼働させるための各種設定情報（機械情報）やエンジン・油圧システム等の稼働状態を示す機歴情報等を、建設機械に備え付けの表示部（モニタ）に表示し、オペレータ（作業者）等がこれらの情報を確認しながら目的の作業を行っている。また、従来では、メンテナンス作業等を行うサービスマン（メンテナンス作業者）が定期的に建設機械のある場所に赴き、上述した表示部から機械情報や機歴情報を取得して点検等を行っている。
【０００３】
なお、従来では、サービスマン等が直接建設機械のある場所に赴かなくても建設機械に対して人工衛星等の衛星通信を介してデータを送信したり、建設機械内のデータを受信する技術が知られている（例えば、特許文献１及び２参照）。
【先行技術文献】
【特許文献】
【０００４】
【特許文献１】特開２００３−２９３３９９号公報
【特許文献２】特開２００２−１９８８８７号公報
【発明の概要】
【発明が解決しようとする課題】
【０００５】
ところで、上述した特許文献に示すような従来技術では、例えば複数の建設機械の稼働状況や現在位置等を管理する管理サーバ等から、各建設機械に対して所定のデータを送信し、建設機械がそのデータを受信して、対応する処理をさせる場合がある。そのような場合には、例えば建設機械を扱うユーザ用のＰＣ（Ｐｅｒｓｏｎａｌ  Ｃｏｍｐｕｔｅｒ）から管理サーバに指示を行い、指示を受けた管理サーバが衛星通信サービスを介して指示に対応するデータを対象の建設機械に送信し、建設機械の通信制御装置がこのデータを受信して所定の処理を行う。
【０００６】
しかしながら、例えば、建設機械の通信制御装置の送信機能に対するトラブルシュート等を行いたい場合に、従来手法では、上述した管理サーバを介してデータの送受信を行わなければならない。そのため、管理サーバの負荷が増えてデータ送信処理時間が大きくなったり、管理サーバのメンテナンス等による停止等が原因で、迅速に建設機械側の受信確認が行えない場合がある。特に、トラブルシュート等を行う場合には、サービスマン等が対象の建設機械のある場所に赴き、トラブルの発生している箇所をチェックする必要があるため、建設機械の通常の作業を行うことができなくなる。そのため、トラブルシュート等を行う場合には、より迅速で効率的な送信確認が要求される。
【０００７】
本発明は、上述した問題点に鑑みなされたものであり、迅速かつ効率的に送信確認を行うための建設機械の通信制御装置及び通信制御方法を提供することを目的とする。
【０００８】
本発明は、上述した問題点に鑑みなされたものであり、迅速かつ効率的に送信確認を行うための建設機械の通信制御装置及び通信制御方法を提供することを目的とする。
【課題を解決するための手段】
【０００９】
上述の目的を達成するために、本発明は、予め設定された管理サーバに対して所定のデータを送信する建設機械の通信制御装置において、送信テスト用のテストデータの送信時に、前記管理サーバ以外の携帯端末に対してテストデータを送信させる制御を行う制御部と、前記テストデータの送信前に、前記テストデータの設定と送信先の携帯端末の設定とを行う画面を表示する表示部とを有することを特徴とする。
【００１０】
なお、本発明の構成要素、表現又は構成要素の任意の組み合わせを、方法、装置、システム、コンピュータプログラム、記録媒体、データ構造等に適用したものも本発明の態様として有効である。
【発明の効果】
【００１１】
本発明によれば、建設機械における送信確認を迅速かつ効率的に行うことができる。
【図面の簡単な説明】
【００１２】
【図１】建設機械の管理システムの一例を示す図である。
【図２】本実施形態における建設機械の一例を示す図である。
【図３】建設機械における制御部の機能構成の一例を示す図である。
【図４】表示部に表示される画面の一例を示す図である。
【図５】携帯端末に表示される画面の一例を示す図である。
【発明を実施するための形態】
【００１３】
＜本発明について＞
本発明では、例えば建設機械の通信制御装置等において、データの送信が正常に行われているか否かの送信確認を行う場合、従来のように管理サーバ等を経由せずに、所定の端末に予め設定されたテストデータが送信されたか否かに基づいて送信確認を行う。また、本発明は、建設機械からテストデータを送信するために、スイッチ操作等の情報入力部を用いて、所定の端末へ直接テストデータを送信する機能を有する。これにより、建設機械の修理やメンテナンスを行うサービスマン（メンテナンス作業者）等は、例えば建設機械から自分の携帯端末等にテストデータを送信し、携帯端末でそのテストデータの受信を確認することで、迅速かつ効率的に建設機械の送信機能の確認を行うことができる。
【００１４】
また、本発明では、管理サーバ等を経由せずに建設機械からテストデータを送信し、所定の端末に受信させる仕組みを構築することで、システム全体の通信経路を短くすることができ、どの通信経路でトラブルが発生しているかを容易に特定することができる。
【００１５】
なお、本発明は、例えば建設機械の通信制御装置の送信機能に対するトラブルシュート時等に適用することができるが、これに限定されるものではなく、例えば送信機能のメンテナンス時等にも活用することができる。
【００１６】
以下に、本発明における建設機械の通信制御装置及び通信制御方法を好適に実施した形態について、図面を用いて説明する。
【００１７】
＜建設機械の管理システム＞
まず、本発明が適用される建設機械の管理システムの概略例について、図を用いて説明する。図１は、建設機械の管理システムの一例を示す図である。図１に示す管理システム１０は、建設機械１１と、携帯端末１２と、携帯メール用送受信アンテナ１３と、携帯メールサーバ１４と、通信ネットワーク１５と、衛星通信サーバ１６と、地上局１７と、通信衛星１８とを有する。また、管理システム１０は、上述した構成の他に、例えば、サービスマンの所属するメンテナンス企業等が使用するＰＣ２０（図１の例では、ＰＣ２０−１〜２０−３）と、１又は複数の建設機械の稼働状況等を管理する稼働管理サーバ（管理サーバ）２１とを有していてもよい。なお、携帯メールサーバ１４、衛星通信サーバ１６、ＰＣ２０、及び稼働管理サーバ２１とは、インターネット回線等に代表される通信ネットワーク１５を介してデータの送受信が状態で接続されている。
【００１８】
また、稼働管理サーバ２１と、携帯端末１２と、ＰＣ２０と、建設機械１１とは、それぞれが固有の識別情報を有している。例えば、稼働管理サーバ２１にはアドレスＡ、携帯端末１２にはアドレスＢ、ＰＣ２０−１にはアドレスＣ、建設機械１１にはアドレスＴがそれぞれ割り当てられている。なお、識別情報としては、例えばメールアドレスやＩＰ（Ｉｎｔｅｒｎｅｔ  Ｐｒｏｔｏｃｏｌ）アドレス、ＭＡＣ（Ｍｅｄｉａ  Ａｃｃｅｓｓ  Ｃｏｎｔｒｏｌ）アドレス、電話番号等があるが、これに限定されるものではなく固有の情報であればよい。本実施形態では、上述した識別情報に基づいて対象の機械や装置（ＰＣ、サーバ）、端末に所定のデータの送受信を行うことができる。
【００１９】
また、図１の例では、建設機械１１及び携帯端末１２を１台のみ示しているが、これに限定されるものではなく、管理システム１０内に複数の建設機械１１及び携帯端末１２を有していてもよい。
【００２０】
建設機械１１は、アンテナ３０と、通信制御装置３１と、表示部３２とを有するよう構成されている。アンテナ３０は、通信衛星１８とのデータの送受信を行うための通信手段を設けている。通信制御装置３１に出力されたデータは、アンテナ３０を介して送信される。また、本実施形態におけるアンテナ３０は、データを受信する場合にも用いることができる。
【００２１】
通信制御装置３１は、建設機械１１における送信確認を行う場合に、サービスマン等の指示により、予め設定されたテストデータを、アンテナ３０を介して所定の送付先（例えば、携帯端末１２又はＰＣ２０等）に送信する。なお、テストデータの内容は、表示部３２に表示される。サービスマンは、表示部３２の表示内容を確認しながらテストデータの設定や変更等を行うことができる。
【００２２】
なお、テストデータは、例えば「０１０１」等の予め設定された信号列や、「テスト１」、「テスト２」等の文字パターン等の中から選択される少なくとも１つのデータを用いることができるが、これに限定されるものではない。
【００２３】
また、送付先については、予め設定されていてもよく、情報入力部等を用いてユーザが直接送付先を入力してもよい。なお、送付先が携帯端末１２の場合には、例えばトラブルシュートを担当するサービスマンが所持する携帯端末１２を送付先にすることが好ましいが、これに限定されるものではなく、例えばメンテナンス会社の代表のアドレスを送付先にしてもよい。なお、上述した各設定は、表示部３２に表示される内容を見ながら行うことができる。また、通信制御装置３１は、テストデータを正常に送信できた場合に、その旨を表示部３２に表示させる。
【００２４】
ここで、通信制御装置３１には、予め建設機械１１毎に割り当てられた識別情報（例えば、アドレスＴ）が管理されている。本実施形態において、サービスマン等は、例えばトラブルシュートの対象の建設機械１１から自分の携帯端末１２にテストデータを送信する際に、自分の携帯端末１２の識別情報を送信先としてテストデータを送信する。この場合に、送信されたテストデータには、送信元情報として建設機械１１の識別情報を有することになる。なお、通信制御装置３１は、テストデータを電子メールで送信する場合には、電子メール機能を有する。なお、建設機械１１からのテストデータの受信は、電子メールに限定されるものではなく、例えば予め携帯端末１２毎に設定されたＩＰアドレスやＭＡＣアドレス等のアドレス情報等を用いてテストデータを送信してもよい。また、建設機械１１は、電子メール機能ではなく、例えばショートメール機能を用いてテストデータを送信してもよい。
【００２５】
例えば電子メール機能を用いた場合には、例えばメールの「本文」又は「件名」にテストデータの内容を書き込む。また、ショートメール機能を用いた場合には、例えば携帯端末１２の電話番号を送信先に設定してテストデータを送信する。この場合、携帯メールサーバ１４において予め管理されている電話番号とアドレスとの対応テーブル等を用いて、電話番号から携帯端末１２のアドレスを取得して、テストデータが、所定の携帯端末１２に送信される。また、本実施形態では、上述した電子メール機能以外にも予め設定したコマンド操作によりテストデータを送信したり、専用のアプリケーションを起動させて上述したテストデータの送信処理を行ってもよい。
【００２６】
また、通信制御装置３１は、送信確認の実行結果を記憶部等に記憶し、記憶された送信確認の実行結果を所定のタイミングで稼働管理サーバ２１に送信することができる。なお、所定のタイミングとは、例えば所定の時間毎、曜日毎、週毎、月毎のように時間情報に基づくタイミングや、記憶されているデータ量に基づくタイミング、稼働管理サーバ２１から送信確認の実行結果の取得要求を受信したタイミング、サービスマンによる通信制御装置３１への送信指示を受けたタイミング等があるが、これに限定されるものではない。また、受信確認の実行結果は、上述した稼働管理サーバ２１だけでなく、携帯端末１２やＰＣ２０に送信することもできる。
【００２７】
表示部３２は、通信制御装置３１によるテストデータの送信処理を行うか否かの設定画面や、テストデータの選択や設定、送付先情報等を画面に表示する。なお、テストデータや送付先情報は、予め記憶部に記憶されている複数の情報を表示して、サービスマン等に選択させてもよく、また情報入力部等を用いて入力できる画面を表示してもよい。
【００２８】
なお、表示部３２は、例えばモニタディスプレイ等を用いることでき、例えばスイッチパネル等の情報入力部があることも好ましいが、これに限定されるものではない。なお、上述した建設機械１１の具体的な構成例については、後述する。
【００２９】
携帯端末１２は、建設機械１１から送信されたテストデータを受信し、受信した内容を携帯端末１２に設けられた画面に表示する。なお、携帯端末１２は、テストデータを受信した旨を音声出力や発光部の点灯等によりユーザ（例えば、サービスマン）等に通知することもできる。なお、携帯端末１２は、建設機械１１からのテストデータが電子メールで送信されてきた場合には、そのテストデータの内容を取得可能な電子メール機能を有する。
【００３０】
また、携帯端末１２は、テストデータを正常に受信した場合には、その旨をＰＣ２０や稼働管理サーバ２１に送信してもよい。
【００３１】
ここで、携帯端末１２としては、例えば、携帯電話、スマートフォン、タブレットＰＣ（Ｐｅｒｓｏｎａｌ  Ｃｏｍｐｕｔｅｒ）、ゲーム機器等を利用することができるが、これに限定されるものではなく、可搬型の情報通信端末であればよい。
【００３２】
携帯メール用送受信アンテナ１３は、携帯端末１２と携帯メールサーバ１４との間でデータの送受信を行う。具体的には、携帯メールサーバ１４から送信されたテストデータを受信し、受信したテストデータを携帯端末１２に出力する。なお、この場合のテストデータは、例えば電子メールとして送信されたメール形式のテストデータを意味するが、これに限定されるものではない。
【００３３】
携帯メールサーバ１４は、携帯メール用送受信アンテナ１３と衛星通信サーバ１６との間でデータの送受信を行う。なお、携帯メール用送受信アンテナ１３と衛星通信サーバ１６との間には、通信ネットワーク１５を介する。具体的には、携帯メールサーバ１４は、衛星通信サーバ１６から通信ネットワーク１５を介して送信されたテストデータを受信し、受信したテストデータを対象の携帯端末１２の識別情報（例えば、アドレスＢ）に送信するため、携帯メール用送受信アンテナ１３に送信する。
【００３４】
なお、携帯メールサーバ１４は、テストデータの送信内容を所定のフォーマットに変換する処理等を行ってもよい。例えば、携帯メールサーバ１４は、ショートメール機能を用いて送信されたテストデータに対しては、予め管理されている電話番号とアドレスとの対応テーブル等を用いて、電話番号から携帯端末１２のアドレスを取得し、取得したアドレス宛てにテストデータを送信する。
【００３５】
衛星通信サーバ１６は、携帯メールサーバ１４と地上局１７との間でデータの送受信を行う。なお、携帯メールサーバ１４と地上局１７との間には、通信ネットワーク１５を介する。具体的には、衛星通信サーバ１６は、地上局１７から得られたテストデータを、通信ネットワーク１５を介して携帯メールサーバ１４に送信する。
【００３６】
地上局１７は、衛星通信サーバ１６と通信衛星１８との間でデータの送受信を行う。具体的には、地上局１７は、所定の通信衛星１８から得られるテストデータを所定の地上局１７に送信する。
【００３７】
通信衛星１８は、建設機械１１と地上局１７との間でデータの送受信を行う。具体的には、通信衛星１８は、建設機械１１から得られるテストデータを受信し、受信したテストデータを所定の地上局１７に送信する。
【００３８】
なお、本実施形態において、上述した携帯メール用送受信アンテナ１３、携帯メールサーバ１４、通信ネットワーク１５、衛星通信サーバ１６、地上局１７、及び通信衛星１８は、建設機械１１と携帯端末１２との間でデータの送受信を行うための中継装置である。
【００３９】
上述したようなシステム構成を有することにより、ＰＣ２０や稼働管理サーバ２１を介さずに建設機械１１から携帯端末１２に迅速かつ効率的にテストデータの送信を行うことができ、建設機械１１に対する迅速な送信確認を行うことができる。
【００４０】
ここで、サービスマン等が、上述した管理システム１０のシステム構成を用いて、建設機械１１による送信確認を行う例について説明する。例えば、建設機械１１における送信機能のトラブルシュート時には、まずサービスマン等が対象の建設機械１１のある場所に赴く。その後、サービスマンは、建設機械１１の送信機能を確認するため、建設機械１１から、例えばそのサービスマンが所持する携帯端末１２のアドレス（図１の例では、アドレスＢ）を送信先として、予め設定されたテストデータを送信する。
【００４１】
また、本実施形態では、建設機械１１から送信されたテストデータは、上述したようにＰＣ２０や稼働管理サーバ２１を経由せずに指定した携帯端末１２で受信され、その結果が携帯端末１２の画面等に表示される。本実施形態では、携帯端末１２の画面に表示された内容をサービスマンが確認することで、迅速かつ効率的に送信確認を行うことができる。なお、サービスマンは、建設機械１１からテストデータを送信し、所定時間が経過しても携帯端末１２で受信ができなかった場合に、アンテナ３０等の通信設備や通信経路に問題が生じていることを迅速に把握することができる。
【００４２】
なお、本実施形態では、建設機械１１から直接携帯端末１２に対してデータの送受信は行っていない。これは、建設機械１１と携帯端末１２との間で直接データの送受信を可能にするために、アンテナ３０とは別に通信手段を設けなければならず、コストの増加に繋がるからである。また、本実施形態では、通常業務における稼働管理サーバ２１とのデータの送受信において、正しく送受信ができることが好ましく、そのためにも通常利用しているアンテナ３０による送信確認を行う必要があるからである。
【００４３】
また、本実施形態では、例えばサービスマンが建設機械１１にいる場合に、ＰＣ２０−１を操作するユーザに対して、テストデータを建設機械１１から送信する旨の連絡をしておき、テストデータをＰＣ２０−１のアドレス（図１の例では、アドレスＣ）に送信することで、ＰＣ２０−１を用いた送信確認を行うこともできる。
【００４４】
また、本実施形態では、上述した建設機械１１から携帯端末１２及びＰＣ２０−１の両方にテストデータを送信して２つの受信確認を行ってもよい。本実施形態では、上述したように両方にテストデータを送信して送信確認を行うことで、例えばどちらの通信経路でトラブルが発生しているかを確認することできる。
【００４５】
ここで、稼働管理サーバ２１と、建設機械１１とにおける通常のデータ送受信の例としては、例えば、建設機械１１が盗難等にあった場合に、稼働管理サーバ２１から建設機械１１を使用できなくするためにロック制御信号を送信して、建設機械１１にロックをかける場合がある。また、他の送受信の例としては、例えば稼働管理サーバ２１から建設機械１１の各種設定情報や機歴情報等を取得要求し、その要求を受信した建設機械１１がメモリ等の記憶部に記憶された情報を稼働管理サーバ２１に送信する等の送受信があるが、これに限定されるものではない。
【００４６】
＜建設機械１１の具体例＞
次に、本実施形態に適用される建設機械１１の具体例について図を用いて説明する。図２は、本実施形態における建設機械の一例を示す図である。なお、図２（ａ）は、建設機械の外観例を示し、図２（ｂ）は、建設機械のキャブの中身の概要例を示している。
【００４７】
図２（ａ）では、建設機械１１の一例として油圧ショベルを示している。図２（ａ）に示す建設機械１１は、大略的にはキャブ４０と、作業アタッチメント４１と、下部走行体４２と、上部旋回体４３とを有するよう構成されている。
【００４８】
キャブ４０は、オペレータ（作業者）等が作業アタッチメント４１の動作や、下部走行体４２における建設機械１１の移動、上部旋回体４３の旋回等の操縦全般を行う部分である。また、キャブ４０には、図２（ｂ）に示すように、本実施形態における表示部３２が設けられている。例えば、オペレータは、表示部３２を用いて、作業アタッチメント４１等を稼働させるための各種設定情報やエンジン・油圧システム等の稼働状態を示す情報等を確認して目的の作業を行う。また、サービスマンは、表示部３２を用いて、上述したように携帯端末１２やＰＣ２０に対して送信するテストデータの設定や変更、送信先アドレスの設定、機械情報、機歴情報等の他のメンテナンス情報の確認等を行う。
【００４９】
作業アタッチメント４１は、ブーム４１ａ、アーム４１ｂ及びバケット４１ｃと、これらを駆動するブームシリンダ４４ａ、アームシリンダ４４ｂ及びバケットシリンダ４４ｃから構成される。
【００５０】
建設機械１１は、作業アタッチメント４１を駆動させることで、例えば破砕作業、解体作業、吊り作業、掘削作業等の各種作業を行うことができる。本実施形態では、上述したような各種作業時におけるエンジン回転数や負荷率、冷却水温等のエンジン稼働状況、油圧ポンプの圧力、油温等の油圧システム稼働状況等を機械情報としてメモリ（記憶部）等に記憶する。
【００５１】
また、下部走行体４２は、建設機械１１本体の移動を可能とする。なお、下部走行体４２は、例えば車輪等を用いて建設機械１１本体の移動をさせるようなものであってもよい。
【００５２】
また、上部旋回体４３は、図示しない旋回用油圧モータにより旋回可能に下部走行体４２上に装架されると共に、作業アタッチメント４１を俯仰動可能に支持している。
【００５３】
また、図２（ｂ）に示すキャブ４０は、大略的には座席５０と、操縦部５１と、情報入力部５２と、表示部３２とを有するよう構成されている。座席５０は、オペレータ等が座る部分である。オペレータは、座席５０に座りながら操縦部５１を用いて建設機械１１の操縦を行う。操縦部５１は、建設機械１１本体の移動、旋回動作や作業アタッチメント４１により各種作業を行うためのレバーや各種スイッチ、ペダル等を有している。オペレータ（作業者）等が操縦部５１を操作することにより、図示しないコントロールバルブを介して図示しない油圧ポンプからの作動油が作業アタッチメント４１のブームシリンダ４４ａ、アームシリンダ４４ｂ及びバケットシリンダ４４ｃに給排され、作業アタッチメント４１が駆動される。
【００５４】
表示部３２は、上述したように建設機械１１におけるテストデータの送信処理を行うための各種画面を表示する。また、表示部３２は、建設機械１１における設定情報、操縦状況、操縦結果等の機械情報や機歴情報等を表示する。
【００５５】
また、本実施形態では、表示部３２で表示される情報をメモリ等に記憶しておき、所定のデータ量や所定時間間隔毎、又はサービスマン等の指示により、携帯端末１２やＰＣ２０、稼働管理サーバ２１等に送信させてもよい。
【００５６】
なお、図２（ｂ）の表示部３２の設置位置については、本発明においてはこれに限定されるものではなく、例えば座席５０の右側、左側に設置してもよく、座席５０の前方、後方、上方、又は下方等に設置してもよい。
【００５７】
また、本実施形態では、１つの表示部３２で、本実施形態における受信確認の結果、機械情報、機歴情報を表示させているが、これに限定されるものではなく、例えば受信確認結果を表示する表示部と、機械情報や機歴情報を表示する表示部とを分けて設けてもよい。
【００５８】
情報入力部５２は、例えば予め設定された操作キー等により、テストデータの内容や送付先のアドレス情報等を、予め設定された複数の情報の中から選択したり、新たに入力することで設定する。なお、情報入力部５２は、例えば操作キーや操作パネル、操作スイッチ等からなる。また、表示部３２にタッチパネル機能等がある場合には、表示部３２と、情報入力部５２は、一体に形成されていてもよい。
【００５９】
また、本実施形態における建設機械１１については、図２に示す油圧ショベルに限定されるものではなく、例えばクレーン車や杭打ち機、杭抜き機、ウォータージェット（例えば、ウォータージェットカッタ等）、泥排水処理設備、グラウトミキサ、深礎工用機械（例えば、ロータリー吹き付け機、水中切断機等）、せん孔機械等を広く含む。
【００６０】
＜建設機械１１における通信制御装置３１について＞
次に、建設機械１１における通信制御装置３１の機能構成例について図を用いて説明する。図３は、建設機械における通信制御装置の機能構成の一例を示す図である。図３に示す通信制御装置３１は、各種センサ部６１と、メモリ（記憶部）６２と、コントローラ（制御部）６３とを有する。なお、図３の通信制御装置３１には、アンテナ３０、表示部３２、及び情報入力部５２が接続されている。
【００６１】
各種センサ部６１は、建設機械１１の各部の動作や状態（例えば、水温、油温等）を検出するためのものであり、各種センサ部６１から得られた情報は、コントローラ６３に出力される。
【００６２】
メモリ６２は、本実施形態における各種情報（例えば、本実施形態における送信確認の結果、機械情報、機歴情報、各種アプリケーション等）を記憶する記憶部であり、必要に応じて所定の情報を書き込んだり読み出したりすることができる。
【００６３】
コントローラ６３は、各種センサ部６１、メモリ６２、及び情報入力部５２等から得られる情報に基づいて、アプリケーション等を用いて表示部３２における表示制御等を行う。
【００６４】
また、コントローラ６３は、情報入力部５２からの指示に基づいて、上述した本実施形態におけるテストデータの送信指示を行う。具体的には、コントローラ６３は、情報入力部５２からの指示に基づいて、メモリ６２に記憶された１又は複数のテストデータ及び送付先情報を表示部３２に表示させる。また、コントローラ６３は、情報入力部５２を介してサービスマン等から指定されたテストデータを指定された送付先に送信する。なお、コントローラ６３は、送信するテストデータの形式は、例えば電子メールでもよいが、これに限定されるものではなく、例えば情報入力部５２により他の形式を指定することができる。また、コントローラ６３は、送信が完了した場合にその旨を表示部３２に出力させる。
【００６５】
更に、コンローラ６６は、上述した各構成部により得られる情報をメモリ６２に記憶して管理したり、メモリ６２に記憶されている各種情報からサービスマン等により指示された情報や予め設定された情報等を表示部３２に表示させる。また、コントローラ６３は、例えば故障等が発生した場合に故障情報を表示部３２に表示させることができる。
【００６６】
なお、情報入力部５２は、メモリ６２に記憶されたテストデータや送信先情報等の所定の情報の表示指示や選択指示、テストデータの送信指示、ユーザ毎のパスワードの入力等を行うことができるスイッチやボタン、キー等である。なお、情報入力部５２は、例えば表示部３２に表示される文字や記号、ボタン等を出力するタッチパネル等のようなものであってもよい。
【００６７】
＜表示部３２に表示される情報について＞
ここで、本実施形態では、表示部３２に送信処理における送信確認の結果を表示させているが、上述した機械情報や機歴情報等を表示させることもできる。ここで、機械情報は、例えば建設機械１１に対するエンジンのＯＮ／ＯＦＦ率や建設機械が特定の人にしかエンジンが駆動できないようにするためのパスワード情報、建設機械１１を稼働させるための各種設定情報等を少なくとも１つ含むことができる。
【００６８】
また、機歴情報は、例えばエンジン回転数、負荷率、及び冷却水温等のうち少なくとも１つを有するエンジン稼働状況等を含むことができる。また、機歴情報は、例えば油圧ポンプの圧力及び油温等のうち、少なくとも１つを有する油圧システム稼働状況を含むことができる。また、機歴情報は、例えば作業モード設定、及び走行モード設定等のうち少なくとも１つを有する機械設定情報を含むことができる。また、機歴情報は、燃費状況等を含むことができる。また、機歴情報は、オーバーヒート及び圧力異常等のうち少なくとも１つからなる故障情報を含むことができる。更に、機歴情報は、上述した内容に限定されるものではなく、例えば建設機械１１における各種時間（例えば、本体動作時間、電気系統動作時間、アイドル時間、ブレーカ使用時間、破砕使用時間等）、各種スイッチ作動回数（例えば、圧力スイッチ、操作スイッチ等）、作業モード、圧力最高値、温度分布等のうち少なくとも１つを含むことができる。更に、本実施形態における機歴情報は、上述した各種情報のうち、複数を組み合わせた情報であってもよい。なお、上述した各種時間情報は、例えば積算時間（アワーメータ）等が用いられるが、本発明においてはこれに限定されるものではない。
【００６９】
なお、上述した表示部３２における表示は、上述したコントローラ６３等によって制御される。
【００７０】
＜表示画面例＞
次に、表示部３２に表示される画面例について図を用いて説明する。図４は、表示部に表示される画面の一例を示す図である。
【００７１】
図４（ａ）では、表示部３２に表示されるメンテナンス画面例として、上述した機械情報を表示させるか、送信テストを行うかの２つの選択ボタンが表示されている。
【００７２】
ここで、サービスマン等が、機械情報の表示を選択すると、図４（ｂ）に示すように、画面が遷移する。図４（ｂ）では、機械情報として、例えば建設機械１１の「稼動時間」、「エンジン回転数」、「水温」、「油温」、「ポンプ圧力」、「作業モード」、「燃費」、「故障コード」等が表示される。なお、表示項目や表示形式、表示順序については、これに限定されるものではなく、他の機械情報や機歴情報を表示してもよい。
【００７３】
また、図４（ａ）の画面において、サービスマン等により送信テストが選択されると、図４（ｃ）に示すように、送付先の設定を行う。なお、図４（ｃ）の画面例では、一例として予め設定された複数のアドレスを設定したり、新たなアドレスを新規に設定するかを選択する画面を表示させ、サービスマン等に何れかを選択させるように構成されているが、これに限定されるものではない。
【００７４】
次に、サービスマン等により送付先の設定が終了すると、図４（ｄ）に示すようにテストパターン設定画面を表示し、テストデータを選択させる。なお、テストデータを選択させる際には、例えば予め設定された複数のテストデータから選択してもよく、新たなテストデータを設定することができるが、これに限定されるものではない。
【００７５】
上述したサービス等による設定が完了すると、次に図４（ｅ）に示すように設定した内容の確認画面が表示され、画面上の「送信しますか？」の問いに対して「ＹＥＳ」を選択すると、アンテナ３０を介して設定した内容で送信処理が行われる。その後、正常に送信が行われると、図４（ｆ）の画面に遷移し、送信完了のメッセージが表示される。これにより、サービスマン等は、建設機械１１におけるテストデータの送信を迅速かつ効率的に行うことができる。なお、テストデータの送信時にエラーが生じた場合には、図４（ｆ）の画面の変わりに、例えば「送信エラーが発生しました」等のメッセージが表示される。
【００７６】
また、図４（ｅ）において、送信しない場合には、「ＮＯ」を選択することで、テストデータの送信処理は行われず、例えば、図４（ａ）に示すメンテナンス画面に遷移する。
【００７７】
なお、本実施形態における表示順序については、上述した例に限定されるものではなく、上述した図４（ｃ）よりも先に図４（ｄ）の画面を表示させ、テストデータパターン設定を先に行ってもよい。また、本実施形態では、上述の画面等で設定された情報をメモリ６２に記憶しておき、送信テスト時にメモリ６２から各種設定情報を読み出して、送信処理を行ってもよい。
【００７８】
＜携帯端末画面例＞
次に、携帯端末に表示される画面の一例について図を用いて説明する。図５は、携帯端末に表示される画面の一例を示す図である。図５の例では、「送信元アドレス」、「テストデータ種別」、及び「送信結果」が項目として表示されているが、表示項目や表示形式、表示順序については、これに限定されるものではない。
【００７９】
本実施形態では、図５に示すように、携帯端末１２において、ある建設機械１１（例えば、送信元アドレスＡ）から送信されたテストデータ（例えば、テストデータＡ）を受信し、受信した情報を表示することで、建設機械１１における送信確認（例えば、ＯＫ／ＮＧ）を迅速且つ効率的に行うことができる。なお、図５に示す画面は、例えば建設機械１１からＰＣ２０−１に送信した場合に、ＰＣ２０−１の画面にも同様の項目が表示される。
【００８０】
上述したように本発明によれば、建設機械における送信確認を迅速かつ効率的に行うことができる。具体的には、本発明によれば、例えば建設機械に搭載しているスイッチ等の操作で通信端末の送信アドレスを稼動管理サーバから携帯端末等に切り替えて送信テストを可能にしたことで、通信端末等の送信機能のトラブルシュートが短時間で効率的にできるようになる。これにより、サービスマン等は、建設機械に関する送信機能の確認を迅速かつ効率的に行うことができる。
【００８１】
以上、本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【００８２】
１０  管理システム
１１  建設機械
１２  携帯端末
１３  携帯メール用送受信アンテナ
１４  携帯メールサーバ
１５  通信ネットワーク
１６  衛星通信サーバ
１７  地上局
１８  通信衛星
２０  ＰＣ
２１  稼動管理サーバ
３０  アンテナ
３１  制御部
３２  表示部
４０  キャブ
４１  作業アタッチメント
４１ａ  ブーム
４１ｂ  アーム
４１ｃ  バケット
４２  下部走行体
４３  上部旋回体
４４ａ  ブームシリンダ
４４ｂ  アームシリンダ
４４ｃ  バケットシリンダ
５０  座席
５１  操縦部
５２  情報入力部
６１  各種センサ部
６２  メモリ（記憶部）
６３  コントローラ（制御部）
【図１】
0005819224.tif 000002
【図２】
0005819224.tif 000003
【図３】
0005819224.tif 000004
【図４】
0005819224.tif 000005
【図５】
0005819224.tif 000006